(57)【要約】      （修正有）【課題】開放した際、直ちに書籍のタイトルを判明し得るような状態にて、２冊の書籍を収容することができるケースの構造を提供する。【解決手段】可撓性を有するシートを素材とし、背部カバー部によって隔てられている２本の直線状の背部折り曲げライン１０、両側の表紙カバー部２の端部に位置している３辺における端部折り曲げライン２０を介してそれぞれ両側において延設されている３個の厚みカバー部の端部における両側の３本の内側折り曲げライン３０から更に両側においてそれぞれ延伸された状態となっている３個の内側カバー部４をそれぞれ設け、内側カバー部４同士を突起部の交錯によって書籍の収容を可能とするような２冊の書籍を収容し得る開閉自在ケースとする。【選択図】図２
0003148031.tif 000002
【実用新案登録請求の範囲】
【請求項１】
可撓性を有するシートを素材としており、収容する２冊の書籍の厚み以上の幅を有している背部カバー部の両端側に２本の直線状の背部折り曲げラインを設け、該背部折り曲げラインの両外側に延伸した状態にあり、かつ書籍を収容した際、裏側の表紙をカバーし得る矩形状の表紙カバー部における当該矩形辺のうち、前記背部折り曲げライン以外の３辺に相互に直交し合い、かつ表紙カバー部が書籍を収容する方向側に折り曲げ可能な端部折り曲げラインを設け、更には当該端部折り曲げラインからそれぞれ収容される各書籍の厚み以上の幅を有している厚みカバー部によって隔てられ、かつ各端部折り曲げラインと平行状態にあり、しかも表紙カバー部側に更に折り曲げ可能である内側折り曲げラインを設け、各内側折り曲げラインから書籍を収容した際、表側の表紙をカバーし得る内側カバー部を延伸しており、当該内側カバー部においては、前記背部折り曲げラインと直交している内側折り曲げラインから延伸している直交内側カバー部のうちの少なくとも１個と内側カバー部のうち、前記背部折り曲げラインと平行な内側折り曲げラインから延伸している平行内側カバー部とは、各端縁において、それぞれ各切込ラインによって内側折り曲げラインと隔てられた状態にある突起部を形成しており、直交内側カバー部の突起部は、背部内側ラインに向かう方向に突起しているのに対し、平行内側カバー部の突起部は、背部折り曲げラインと平行である内側折り曲げラインに向かう方向に突起しており、厚みカバー部が表紙カバー部と概略直交する状態となるように、端部折り曲げラインを折り曲げ、更には直交内側カバー部及び平行内側カバー部をそれぞれ表面カバー部と平行面に呈するように折り曲げた際、各突起部を形成している切込ライン同士が双方に交差し合うことによって、相互の突起部が部分的に重畳しかつ交錯し合った状態を形成し得ることに基づく２冊の書籍を収容し得る開閉自在ケース。
【請求項２】
直交内側カバー部の一方は、端縁における突起部が平行内側カバー部の端縁における突起部と交錯し合った状態にあり、直交内側カバー部の他方においては、背部折り曲げラインから離れた側に位置している端部が、平行内側カバー部側に延伸し、当該平行内側カバー部と重畳可能な状態にあることを特徴とする請求項１記載の２冊の書籍を収容し得る開閉自在ケース。
【請求項３】
葉イブカバー部の全領域及び表面カバー部の全領域又は一部領域において、書籍を収納する側に保護シートを被覆したことを特徴とする請求項１、２の何れか一項に記載の２冊の書籍を収容し得る開閉自在ケース。
【請求項４】
相互に交錯し合う直交内側カバー部の突起部及び平行内側カバー部の突起部を形成している切込ラインが略円弧状に湾曲していることを特徴とする請求項１、２、３の何れか一項に記載の２冊の書籍を収容し得る開閉自在ケース。
【考案の詳細な説明】
【技術分野】
【０００１】
本考案は、２冊の書籍を収容し得る開閉可能なケースに関するものである。
【背景技術】
【０００２】
書籍を携帯又は搬送する場合には、プラスチック等の袋に収容する方式と、ボール紙等による箱に収容する方式とがこれまで採用されている。
但し、例えば冠婚葬祭の引出物である引出物を選択させるためのギフト用のカタログ等の分野においては、一方ではグルメ食品のカタログを提示し、他方では日用家具等の雑貨のカタログを提示すること等、２冊の書籍を収容することが必要とされる場合がある。
【０００３】
このような２冊の書籍を収容する場合において、従前の袋方式及び箱方式の場合には、単に２冊の書籍を重畳して収容するだけであって、直ちに２冊の書籍のタイトルが判明し得るような収容方式はこれまで提唱されている訳ではない。
【０００４】
即ち、従来技術の場合においては、２冊の書籍を重畳した状態にて袋又は箱中に収容し、携帯又は搬送することが行われているに過ぎなかった。
【０００５】
因みに、特許文献１も書籍の携帯又は搬送に使用するに際し、精々箱型容器の構成を開示しているに過ぎない。
【特許文献１】実開平５−０００６５３及びそのマイクロフィルム
【考案の開示】
【考案が解決しようとする課題】
【０００６】
本考案は、開放した際、直ちに書籍のタイトルを判明し得るような状態にて、２冊の書籍を収容することができるケースの構成を提供することを課題としている。
【課題を解決するための手段】
【０００７】
前記課題を解決するため、本考案の基本構成は、可撓性を有するシートを素材としており、収容する２冊の書籍の厚み以上の幅を有している背部カバー部の両端側に２本の直線状の背部折り曲げラインを設け、該背部折り曲げラインの両外側に延伸した状態にあり、かつ書籍を収容した際、裏側の表紙をカバーし得る矩形状の表紙カバー部における当該矩形辺のうち、前記背部折り曲げライン以外の３辺に相互に直交し合い、かつ表紙カバー部が書籍を収容する方向側に折り曲げ可能な端部折り曲げラインを設け、更には当該端部折り曲げラインからそれぞれ収容される各書籍の厚み以上の幅を有している厚みカバー部によって隔てられ、かつ各端部折り曲げラインと平行状態にあり、しかも表紙カバー部側に更に折り曲げ可能である内側折り曲げラインを設け、各内側折り曲げラインから書籍を収容した際、表側の表紙をカバーし得る内側カバー部を延伸しており、当該内側カバー部においては、前記背部折り曲げラインと直交している内側折り曲げラインから延伸している直交内側カバー部のうちの少なくとも１個と内側カバー部のうち、前記背部折り曲げラインと平行な内側折り曲げラインから延伸している平行内側カバー部とは、各端縁において、それぞれ各切込ラインによって内側折り曲げラインと隔てられた状態にある突起部を形成しており、直交内側カバー部の突起部は、背部内側ラインに向かう方向に突起しているのに対し、平行内側カバー部の突起部は、背部折り曲げラインと平行である内側折り曲げラインに向かう方向に突起しており、厚みカバー部が表紙カバー部と概略直交する状態となるように、端部折り曲げラインを折り曲げ、更には直交内側カバー部及び平行内側カバー部をそれぞれ表紙カバー部と平行面に呈するように折り曲げた際、各突起部を形成している切込ライン同士が双方に交差し合うことによって、相互の突起部が部分的に重畳しかつ交錯し合った状態を形成し得ることに基づく２冊の書籍を収容し得る開閉自在ケースからなる。
【考案の効果】
【０００８】
前記基本構成に基づき、本考案においては、２冊の書籍を携帯又は搬送する場合には、背部折り曲げライン、端部折り曲げライン及び内側折り曲げラインを、それぞれ書籍を収容する方向、即ち背部折り曲げラインについては、表紙カバー部が相互に向い合う方向に折り曲げ、端部折り曲げラインについては、厚さカバー部が背部カバー部側に対し平行状態となるように約直角に折り曲げ、更には端部折り曲げラインを内側カバー部が表紙カバーと略平行となるように、約直角に折り曲げることによって、書籍の背部を背部カバー部によってカバーし、書籍の裏側の表紙を表紙カバー部によってカバーし、書籍の天及び小口によって形成される厚み方向を厚さカバー部によってカバーし、書籍の表側の表紙を内側カバー部によってカバーすることによって両側の２冊の書籍を重畳した状態にて収容することができる。
【０００９】
しかも携帯又は搬送が終了した段階では、背部折り曲げラインを開放した状態とすることによって、内側カバー部によって部分的にカバーされている書籍の表側の表紙を速やかに参照することができることによって、書式のタイトルを速やかに把握し、ひいては書式のアウトラインの内容を把握することが可能となる。
【考案を実施するための最良の形態】
【００１０】
図１は、背部折り曲げライン１０、端部折り曲げライン２０及び内側折り曲げライン３０をそれぞれ開放した状態を示す。
【００１１】
図１からも明らかなように、本考案は、２本の背部折り曲げライン１０によって囲まれた背部カバー部１及び３本の端部折り曲げライン２０と１本の背部折り曲げライン１０とによって囲まれ、かつ両側に位置している表紙カバー部２、及び各端部折り曲げライン２０と内側折り曲げライン３０とによって挟まれた状態にて両側に位置している３個の厚み方向カバー部、更には内側折り曲げライン３０から更に延伸した状態にて両側に位置している３個の内側カバー部４をそれぞれ設けている。
【００１２】
３個の内側カバー部４のうち、２個は背部折り曲げライン１０と直交する内側折り曲げライン３０から延伸している直交内側カバー部４１であり、他の１個は、背部折り曲げライン１０と平行状態である内側折り曲げライン３０から延伸している平行内側カバー部４２によって構成されている。
【００１３】
前記基本構成においては、平行内側カバー部４２のうちの両端縁又は片側端において、切込ラインによって内側折り曲げライン３０と隔てられた状態にある突起部が形成されており、直交内側カバー部４１の双方又は一方の端縁においても、平行内側カバー部４２の前記突起部５２と交錯するための突起部を設けている（尚、図１においては、平行内側カバー部４２の両端縁に突起部を設け、かつ双方の直交内側カバー部４１の端縁において突起部を設けた実施形態を示す。）。
【００１４】
そして、直交内側カバー部４１の突起部５１は、背部折り曲げライン１０に向かう方向に突起しているのに対し、平行内側カバー部４２の突起部５２は、背部折り曲げライン１０と平行である内側折り曲げライン３０に向かう方向に突起した状態を呈している。
【００１５】
図２は、２本の背部折り曲げライン１０を開いた状態とし、両側の各３本の端部折り曲げライン２０を略９０度折り曲げたうえで、内側折り曲げライン３０もまた内側に９０度折り曲げ、しかも、双方の切込ラインを交差させることによって双方の突起部を部分的に重畳させ、かつ交錯させた状態を示す（尚、図２においては、平行内側カバー部４２の一方端に突起部を設け、かつ一方側の直交内側カバー部４１の端縁に突起部を設け、相互に交錯させており、平行内側カバー部４２の他方端及び他方側の直交内側カバー部４１には突起部を設けていない実施形態を示す。）。
【００１６】
図１に示すように、双方の突起部が突起として向う方向が９０度相違していることから、図２に示すように、平行内側カバー部４２の突起部５２が、直交内側カバー部４１の突起部５１の切込ライン６１の端部及びその付近の上側に位置することによって平行内側カバー部４２の領域を部分的に覆い、逆に直交内側カバー部４１の突起部５１の先端部が、平行内側カバー部４２の突起部５２の切込ライン６２の端部及びその付近の上側に位置するという部分的な重複を伴って、双方の突起部の交錯状態を実現している。
【００１７】
前記交錯状態に基づき、図３に示すように、双方の書籍７を収容し、かつ直交内側カバー部４１を下側として書籍７の重量を支持した場合には、下側に位置している平行内側カバー部４２が前記書籍７の重量を支えることが可能となる。
【００１８】
図１に示すように、各折り曲げラインが開いた状態となっている場合には、書籍７を両側の表紙カバー部２にそれぞれ配置したうえで、両側の各３本の端部折り曲げライン２０を９０度上側に折り曲げ、しかも、両側の各３本の内側折り曲げライン３０を内側カバー部４が書籍７の上側に位置するように折り曲げた場合には、図３に示すような状態にて書籍７を収容し、更には平行内側カバー部４２の端縁に位置している突起部と直交内側カバー部４１の端縁に位置している突起部との交錯状態によって、書籍７の他方の表紙を内側カバー部４によってカバーすることが可能となる。
【００１９】
このようなカバーした状態にて、２冊の書籍７を本考案に係る開閉自在ケースに収容し、携帯又は搬送することになる。
【００２０】
携帯又は搬送が収容した後、改めて図２に示すような状態に至った段階では、既に効果の項において説明したように、表側の表紙に記載されている書籍７のタイトルを一覧し、かつその概要を把握することが可能となる。
【００２１】
図１の実施形態のように、平行内側カバー部４２の両端側に突起を設ける場合には、書籍７を収容したうえで、直交内側カバー部４１の双方の何れをも上側又は下側とすることができるが、双方の何れにおいても前記交錯状態を形成する作業が必要となる。
【００２２】
これに対し、図２の実施形態のように、一方の平行内側カバー部４２の端縁のみに突起部が設けられている場合には、前記一方側における相互の突起部の交錯を行い、かつ当該交錯が行われている側を下方とするような収容を行えば良く、前記交錯に関しては作業を半減することが可能となる。
【００２３】
このような状況を考慮して、図２に示すように、直交内側カバー部４１の一方は、端縁における突起部が平行内側カバー部４２の端縁における突起部と交錯し合った状態にあり、直交内側カバー部４１の他方は、折り曲げ部が離れた側に位置している端部が、平行内側カバー部４２側に延伸し、当該直交内側カバー部４１と重畳可能な状態にあることを特徴とする実施形態が好適に採用されている。
【００２４】
書籍７を収容する場合には、安全なカバーを当然必要としている。
【００２５】
このような状況を反映して、折り曲げ部の全領域及び表紙カバー部２の全領域又は一部領域において、書籍７を収容する側につき、保護シートを被覆したことを特徴とする実施形態を採用した場合には、書籍７に対する安全な収容を実現することが可能となる。
【実施例】
【００２６】
実施例においては、図４に示すように、相互に交錯し合う直交内側カバー部４１の突起部５１及び平行内側カバー部４２の突起部５２を形成している切込ライン６２が略円弧状に湾曲していることを特徴としている。
【００２７】
このような湾曲した切込ラインを採用することによって、相互の突起部の交錯状態を円滑に実現することが可能となる。
【００２８】
特に図４に示すように、切込ライン６１及び６２によってそれぞれ突起部５１及び５２の外側の輪郭をも形成し、かつ当該外側の輪郭についても湾曲した状態を採用した場合には、突起部は柔和な印象を与え、意匠としての効果をも実現することができる。
【産業上の利用可能性】
【００２９】
本考案は、冠婚葬祭等における選択用のカタログを収容するためのケースだけでなく、書籍贈答用のケース等、広範な分野において利用することができる。
【図面の簡単な説明】
【００３０】
【図１】各ラインを開いた状態による平面図であって、平行内側カバー部の両端縁及び双方の直交カバー部の一方端縁にそれぞれ突起部を設けた実施形態を示す。
【図２】２本の背部折り曲げラインのみを開いた状態とし、両側の各３本の端部折り曲げライン及び内側折り曲げラインをそれぞれ９０度折り曲げた状態としたうえで、平行内側カバー部の一方端縁及び一方側の直交内側カバー部の一方端縁にそれぞれ突起部を設けている実施形態において、相互の突起部が交錯した状態の平面図を示す。
【図３】図２の実施形態によって書籍を収容した場合に、相互の突起部が交錯することによって書籍の重量を支えることを可能とする側面図であり、（ａ）は図２の一部を拡大した平面図であり、（ｂ）は（ａ）のＡＡ方向によって切断した断面図である。
【図４】各突起部の切込ラインを円弧状に湾曲し、しかも突起部の外側ラインをも湾曲した状態とする実施例の構成を示す平面図である。
【符号の説明】
【００３１】
１  背部カバー部
１０  背部折り曲げライン
２  表紙カバー部
２０  端部折り曲げライン
３  厚みカバー部
３０  内側折り曲げライン
４  内側カバー部
４１  直交内側カバー部
４２  平行内側カバー部
５１  直交内側カバー部の突起部
５２  平行内側カバー部の突起部
６１  直交内側カバー部における切込ライン
６２  平行内側カバー部における切込ライン
６３  直交内側カバー部における切込ラインと平行内側カバー部における切込ラインと
の交差位置
７  書籍
【図１】
0003148031.tif 000003
【図２】
0003148031.tif 000004
【図３】
0003148031.tif 000005
【図４】
0003148031.tif 000006